(57)【要約】【課題】  本発明はモータ保護用遮断器のトリップ(trip)の誤謬防止のための開閉器具部に関するものである。【解決手段】  モータ保護用遮断器の使用中、開閉器具部(switching mechanism)(１)のトリップ動作時ラッチホルダー(4)がトリップレバー(３)の拘束から不完全に解放になった場合でも、トリップレバー(３)を強制的に押し上げてラッチホルダー(４)の拘束がいかなる場合にも完全に解放されるようにすることによって、器具部(１)のリセット操作時ラッチ２が予め決められた角度だけ回転するラッチホルダー(４)の両側ピン(４ａ)、(４ｂ)の間にスムースに進入して器具部(１)の破損を防止することができる。【選択図】      図７ａ
2005197253.tif 000002
【特許請求の範囲】
【請求項１】
垂直方向に長く延長された形状の体部と、上記体部の下端部である足部及び上記体部の上部から水平方向に延長したくちばし部を備え、開閉器具部のトリップ動作時回転軸を中心に回転するラッチと、
上記回転するラッチの押す力によって回転可能であり、上記ラッチをロックまたはロックを解除するためのラッチホルダーと、
上記ラッチのくちばし部の回転区間内に設けられ、上記ラッチの回転時上記くちばし部の押す力によって回転するトリップ信号レバーと、
上記ラッチホルダーの上部であるヘッド部をロックしたり解放するロック部と、上記トリップ信号レバーから押す力を受けるための足部を備え、上記トリップ信号レバーが回転しつつ押す力によって上記ラッチホルダーを解放するように回転するトリップレバーと、からなることを特徴とするモータ保護用遮断器の開閉器具。
【請求項２】
上記トリップ信号レバーはトリップ動作時回転する上記ラッチホルダーを停止させるためのストッパ部を備えることを特徴とする請求項 １ に記載のモータ保護用遮断器の開閉器具。
【発明の詳細な説明】
【技術分野】
【０００１】
本発明はモータ保護遮断器の開閉器具部(switching mechanism)に関するものであって、より詳しくは開閉器具部のトリップ動作時一部部品の不完全な動作にもトリップ動作が信頼性あるように実行され、リセット作動時開閉器具の破損発生を防止することができるモータ保護遮断器用開閉器具部に関するものである。
【背景技術】
【０００２】
通常、MMS(Manual Motor Starter)はモータを機動または停止させる機器に短絡(electric shortage)又は地絡(ground fault)、結像(electric phase deficiency)のような事故電流の発生時モータに電源供給を遮断してモータを保護する機能を付け加えたスィッチ装置としてモータ保護遮断器(Motor Prote cting Breaker)とも呼ばれる。
【０００３】
図1は従来の一般的なモータ保護用遮断器の概略断面図である。
上記モータ保護用遮断器は上記事故電流が発生した時これを感知する検出部と、上記検出部の検出信号によって遮断器をトリップさせる開閉器具部と、 上記開閉器具部の作動によって連動しつつ電路を開閉する接点部と、上記接点部の接点が離隔される時発生するアークをさ消弧せて外部に排出する消弧部などが設けられている。
【０００４】
上記図1における説明しない図面符号1は開閉器具部、11はクロスバー、21は稼動台ガイド、22は稼動台、22aは稼動接点、23aは固定接点、24aは固定接点、25は上部フレームをそれぞれ示す。
【０００５】
図2は従来技術によるモータ保護用遮断器の開閉器具部の動作を示した斜視図として、図2aは遮断器がオン(ON)になって接点閉路状態の開閉器具部１を示した斜視図であり、図2bは図2aにおいてトリップレバースプリング６を除いた、異なる角度から見た斜視図である。
【０００６】
上記開閉器具部１は上記図2a及び図2bに図示されたように、ラッチ２、トリップレバー３、ラッチホルダー４、トリップ信号レバー５を含んで構成される。
【０００７】
上記ラッチ２はメーンスプリング荷重の回転モーメント７によって上記ラッチ２の回転軸２ｃを中心に回転しようとするが、足部２ａが上記ラッチホルダー４のストッパピン４ａに拘束されており、上記ラッチホルダー４は上記ラッチ２を図面における時計方向に回転させる方向に弾性バイアス力を提供するメーンスプリング(図示しない)からの回転モーメント７によってラッチホルダーの回転軸４ｄを中心に回転しようとするが、ラッチホルダーヘッド部４ｃが上記トリップレバー３のロック部(lock portion)３ｂにより拘束されており、上記トリップレバー３がトリップレバーの回転軸３ｃを中心に時計反対方向に回転することを防止するためにトリップレバースプリング６が上記トリップレバー３と上記ラッチホルダー４に連結されている。
【０００８】
このような状態において、モータ保護用遮断器の開閉器具部１がトリップ動作を行う時、上記検出部からの動力伝達によって上記トリップレバー３が上記トリップレバーの回転軸３ｃを中心に上記ラッチホルダースプリング６の弾性バイアス力を乗り越えて図面における反時計方向に回転すると、上記ラッチホルダー４のヘッド部４ｃが上記トリップレバー３のロック部３ｂによる拘束から解放されて上記ラッチホルダー４が上記ラッチホルダーの回転軸４ｄを中心に反時計方向に回転するようになる。そして、上記ラッチ２の足部２ａが上記ラッチホルダー４のストッパピン４ａの拘束から解放されてメーンスプリング荷重の回転モーメント７の方向に沿ってラッチの回転軸２ｃを中心に図面における時計方向に回転するようになる。上記メーンスプリングの回転モーメント７がなくなると、位置が予め決められたストッパ(図示しない)によって一定位置に停止しトリップ動作が完了された場合を図示したものが図３である。
【０００９】
図３は従来技術によるモータ保護用遮断器の開閉器具部の動作を示した斜視図として、図３ａは遮断器がトリップされて接点開路状態にある時の開閉器具部を示した斜視図であり、図３ｂは図３ａにおけるトリップレバースプリング６を除いた、異なる角度から見た斜視図である。
【００１０】
上記開閉器具部１のトリップ動作が進行されつつ上記ラッチ２が回転する時ラッチ２のくちばし部２ｂも上記ラッチの回転軸２ｃを中心に時計方向に回転するようになるが、この時上記くちばし部２ｂが上記トリップ信号レバー５の突起５ａを押すと上記トリップ信号レバー５がトリップ信号レバーの回転軸５ｅを中心に回転するようになり、トリップ信号レバー５の足部５ｂも下方に動いてトリップ状態を表示するアクセサリー装置に動力を伝達する役目をするようになる。
【００１１】
上記開閉器具部１がリセットになる時は図３の位置にある上記ラッチの足部２ａが上記ラッチの回転軸２ｃを中心に時計反対方向に回転しつつ上記ラッチホルダー４のストッパピン４ａと動力伝達ピン４ｂの間に進入した後上記動力伝達ピン４ｂを押すと、上記ラッチホルダー４が上がり、上記ラッチホルダーのヘッド部４ｃが上記トリップレバー３をそっと押し上げて通過した後、トリップレバースプリング６の弾性バイアス力によって復帰しつつ上記トリップレバー３のロック部３ｂに自然に拘束されるようになって図２の投入(Turn ON)状態になる。
【００１２】
従来のモータ保護用遮断器は上記器具部１が投入されて接点が閉路されている状態からトリップ動作が行われる時、上記ラッチホルダーのヘッド部４ｃが上記トリップレバー３のラッチホルダーの係止突起３ｂの拘束から不完全に解放された場合、相対的に大きい回転モーメント７を有している上記ラッチ２は上記ラッチホルダー４のラッチストッパピン４ａの拘束からやっと解放されて上記ラッチの回転軸２ｃを中心に回転しつつ接点を開路させるトリップ動作を行うが、上記ラッチホルダー４は上記トリップレバー３との干渉やその他不意に発生する制約条件によって図３に図示している正常なトリップ完了位置に位置することができずに、上記トリップレバー３に相変らず不完全な状態で拘束を維持するようになる。この時、使用者がモータ保護用遮断器をリセットさせるためにハンドル(符号なし)を通じて力を加えれると、正常なトリップ位置にあった上記ラッチの足部２ａが上記ラッチの回転軸２ｃを中心に上記ラッチホルダー４側へ回転するようになるが、この時上記ラッチホルダー４が反時計方向に回転しない非正常的な位置にあるために、図４に図示しているように上記ラッチの足部２ａが上記ラッチホルダー４の下端に衝突するようになり、この状態で使用者が強制的に力をさらに加える場合、結局ラッチ２またはラッチホルダー４が破損されて正常な開閉器具部１の機能を失うことになる。
【発明の開示】
【発明が解決しようとする課題】
【００１３】
したがって、本発明は上記問題点を解決するためになされたものであって、本発明の目的はモータ保護用遮断器の使用中、開閉器具部のトリップ動作時ラッチホルダーがトリップレバーのロック状態から不完全に解放される現象を防止したモータ保護用遮断器の開閉器具を提供することにある。
【課題を解決するための手段】
【００１４】
上記本発明の目的は垂直方向に長く延長された形状の体部と、上記体部の下部である足部及び上記体部の上部から水平方向に延長したくちばし部を備え、開閉器具部のトリップ動作時回転軸を中心に回転するラッチ、
上記回転するラッチの押す力によって回転可能であり、上記ラッチをロックまたはロックを解除するためのラッチホルダーと、
上記ラッチのくちばし部の回転区間内に設けられ、上記ラッチの回転時上記くちばし部の押す力によって回転するトリップ信号レバーと、
上記ラッチホルダーの上部であるヘッド部をロックしたり解放するロック部と、上記トリップ信号レバーから押す力を受けるための足部を備え、上記トリップ信号レバーが回転しつつ押す力によって上記ラッチホルダーを解放するように回転するトリップレバーを含む本発明によるモータ保護遮断器用開閉器具を提供することによって達成されることができる。
【発明の効果】
【００１５】
トリップレバーを強制的に押し上げて開閉器具部のトリップ動作時ラッチホルダーがトリップレバーのロック状態から不完全に解放される現象を防止 して、器具部のリセット操作時ラッチが予め決められた角度だけ回転するラッチホルダーの両側ピンの間にスムースに進入して器具部の破損を防止する効果がある。
【発明を実施するための最良の形態】
【００１６】
以下、添付図面を参照して本発明の実施例をより詳細に説明するが、本発明はこれらの実施例に何ら限定されるものではない
【００１７】
図５は本発明によるモータ保護用遮断器がオン(ON)になって接点閉路状態、すなわち、図１の稼動接点２２ａと固定接点２３ａが接触した時開閉器具部を示した概略斜視図であり、図６は本発明によるモータ保護用遮断器がトリップされて接点開路状態、すなわち、図１の稼動接点２２ａと固定接点２３ａが分離された状態にある時開閉器具部を示した斜視図である。
【００１８】
上記図５及び図６における符号２はラッチ、３はトリップレバー、４はラッチホルダー、５はトリップ信号レバー、６はラッチホルダースプリングである。
【００１９】
本発明によるモータ保護用遮断器がトリップされて接点開路状態にある時開閉器具部の主要部を示した斜視図７ａと、図７ａにおけるラッチホルダー４及びラッチホルダースプリング６を除いた部分を示した斜視図７ｂを参照して本発明の構成を説明する。
【００２０】
上記モータ保護用遮断器の開閉器具部１は上記図７ａ及び図７ｂに図示されたように、垂直方向に長く延長された形状の体部２ｄと、上記体部２ｄの下部である足部２ａ及び上記体部２ｄの上部から水平方向に延長したくちばし部２ｂを備え、開閉器具部１のトリップ動作時回転軸２ｃを中心に回転するラッチ２と、上記回転するラッチ２の押す力によって回転可能であり、上記ラッチ２をロックまたはロック解除するためのラッチホルダー４と、上記ラッチ２のくちばし部２ｂの回転区間内に設けられ、上記ラッチホルダー４をロックしたり、上記ラッチ２の回転時上記くちばし部２ｂの押す力によって回転するトリップ信号レバーと、 上記ラッチホルダー４の上部であるヘッド部４ｃをロックしたり解放するロック部３ｂと、上記トリップ信号レバー５から押す力を受けるための足部３ａを備え、上記トリップ信号レバー５が回転しつつ押す力によって上記ラッチホルダー４を解放するように回転するトリップレバー３と、を含んで構成される。
【００２１】
上記ラッチ２は図２ａに図示された従来技術のラッチ２と同様に上部の一部にメーンスプリングの一端側が連結され、図７ａ及び図７ｂにおいてこのスプリングによって回転軸２ｃを中心に時計方向に回転するようにバイアス(bias)される。
【００２２】
ラッチホルダー４の下部には図３ａに図示された従来技術のラッチホルダー４と同様にラッチホルダー４の回転中心になる回転軸と、ラッチストッパピン４ａと動力伝達ピン４ｂが設けられる。ラッチホルダー４はモータ保護遮断器がオン(ON)になった状態、または、リセット状態である時、ラッチ２の下端部を上記スプリングのバイアス力によって回転することができないように阻んだり上記スプリングのバイアス力によって図面における時計方向に回転するように解放する。
【００２３】
トリップ信号レバー５はラッチ２のくちばし部２ｂの下方位置に回転軸５ｅを中心に回転可能に設けられる。トリップ信号レバー５は回転軸５ｅが設けられる部分を出発点にして下方に長く延長される部分と、回転軸５ｅが設けられる部分から水平方向に長く延長される部分と、からなる略 ‘ L ’字形である部材である。また、トリップ信号レバー５は上記水平方向の延長部分の中央部位にトリップ動作時上記ラッチホルダー４の回転を阻むストッパ部５ｄと、上記足部３ａ側に向いて突き出た突起部である鼻(nose) 部５ｃを備え、この鼻部５ｃもトリップ動作時上記トリップレバー３の足部３ａを押してトリップレバー３を図面において時計反対方向に回転させる。この時ラッチホルダー４はトリップレバー３のロック部３ｂから解放されて時計方向に回転するラッチ２の下端部の押す力とトリップレバー３とラッチホルダー４の間に両端部が支持されるように設けられたトリップレバースプリング６の弾性力によって図面において時計反対方向に回転する。トリップ信号レバー５の他の機能は従来技術と同様にモータ保護用遮断器に選択仕様部品で附着することができるトリップ状態を表示するアクセサリーメカニズムに駆動力を伝達するのである。このような動力伝達の目的にトリップ信号レバー５は従来技術の伝達部５ｄのような機能を備える。
【００２４】
説明しない符号５ａは従来技術と同様にトリップ動作時上記ラッチ２のくちばし部２ｂから下方に押す力を受けるため、上記水平方向の延長部の先端部の上部に突き出て形成される突出部である。
【００２５】
本発明によるトリップレバー３が従来技術と異なる点はトリップレバー３から下方に延長して上記トリップ信号レバー５から回転するように押す力を受けるための足部３ａを備えるということである。この足部３ａが上記トリップ信号レバー５の鼻部５ｃに対向するようにトリップレバー３が設けられる。
【００２６】
以上のように構成された本発明によるモータ保護遮断器用開閉器具部１の動作を説明する。
【００２７】
まず、本発明によるモータ保護遮断器用開閉器具のトリップ動作を説明する。モータに接続された電気回路上短絡(electric shortage)または地絡(ground fault)による帯電流が流れると、これを感知してトリップレバー３を回転させる駆動力を提供する検出及びトリップ器具部(図示しない)からの駆動力によってトリップレバー３がトリップレバースプリング６の弾性バイアス力を乗り越えて図面における時計反対方向に回転する。
【００２８】
この時トリップレバー３のロック部３ｂからラッチホルダー４が解放されて、スプリングの弾性バイアス力によって時計方向に回転するラッチ２の下端部が押す力とトリップレバー３とラッチホルダー４の間に両端部が支持されるように設けられたトリップレバースプリング６の弾性力によって、ラッチホルダー４は図面における時計反対方向に回転する。
【００２９】
時計方向に回転するラッチ２のくちばし部２ｂがトリップ信号レバー５の突出部５ａに触れつつトリップ信号レバー５を下方に押すと、トリップ信号レバー５は図面における時計方向に回転する。この時回転するトリップ信号レバー５の鼻部５ｃがトリップレバー３の足部３ａを押してトリップレバー３をその回転軸３ｃを中心に時計反対方向に回転されることによって、ラッチホルダー４のヘッド部４ｃがトリップレバー３のロック部３ｂから完全に解放されなかった場合にもラッチホルダー４を完全に解放して回転するようにする。
【００３０】
この時時計反対方向に回転するラッチホルダー４の回転はトリップ信号レバー５に備えられるストッパ部５ｄによって阻まれて予め決められた角度だけの回転に制限される。
上記ラッチ２の回転によって図示しない接続メカニズムを通じてラッチ２と駆動接続された図１に図示されたような稼動接点２２ａ及び稼動台２２が固定接点２３ａ、２４ａから分離されて遮断器をトリップさせモータに接続された電気回路は遮断される。
【００３１】
一方、上記のような短絡または地絡の原因を取り除いた後、このようにトリップされた状態の本発明によるモータ保護遮断器の開閉器具をリセット、すなわち、再度オン(ON)状態に復帰させる動作を説明すると次のようである。
【００３２】
説明しないハンドルを受動的にオン(ON)位置に回転すると、ハンドル器具に接続されたラッチ２がスプリングの弾性バイアス力を乗り越えて図面における時計反対方向に回転する。そうするとラッチ２の下端部２ａの表面がラッチホルダー４のストッパピン４ａをスライディングして通過し、ラッチ２の下端部２ａが動力伝達ピン４ｂを上方に押すようになる。そうすると動力伝達ピン４ｂの上方に押す力によってラッチホルダー(4)が上がりつつラッチホルダー４のヘッド部４ｃがトリップレバー３のロック部３ｂにロックされ、このロック状態はトリップレバースプリング６の弾性バイアス力によって維持される。これと同時にラッチ２の下端部２ａはラッチホルダー４のストッパピン４ａと動力伝達ピン４ｂの間に位置するようになる。
【００３３】
このように、本発明はモータ保護用遮断器の使用中、トリップ動作時ラッチホルダー４がトリップレバー３の拘束から不完全に解放された場合にも、ラッチ２とともに連動されるトリップ信号レバー５の鼻部５ｃがトリップ動作時トリップレバー３の足部３ａを強制的に押してトリップレバー３を回転させるために、ラッチホルダー４のロックがいかなる場合でも完全に解放されることができる。したがって、開閉器具部１のリセット作動時、ラッチ２が予め決められた角度だけ回転するラッチホルダー４の両ピン４ａ、４ｂの間にスムースに進入して開閉器具部１の破損を防止することができる。
【図面の簡単な説明】
【００３４】
【図１】図１は従来の一般的なモータ保護用遮断器の概略断面図である。
【図２ａ】図２ａは、従来技術によるモータ保護用遮断器の開閉器具部の動作を示した斜視図であって、遮断器がオン(ON)になって接点閉路状態にある時の開閉器具部を示した斜視図である。
【図２ｂ】図２ｂは、従来技術によるモータ保護用遮断器の開閉器具部の動作を示した斜視図であって、図２ａにおけるトリップレバースプリング６を除いた、異なる角度から見た斜視図である。
【図３ａ】図３ａは、従来技術によるモータ保護用遮断器の開閉器具部の動作を示した斜視図であって、遮断器がトリップされて接点開路状態にある時の開閉器具部を示した斜視図である。
【図３ｂ】図３ｂは、従来技術によるモータ保護用遮断器の開閉器具部の動作を示した斜視図であって、図３ａにおけるトリップレバースプリング６を除いた、異なる角度から見た斜視図である。
【図４】図４は従来技術によるモータ保護用遮断器の開閉器具部がトリップ誤謬を発生した状態でリセット作動時誤った停止現象が発生された状態を示した斜視図である。
【図５】図５は本発明によるモータ保護用遮断器がオン(ON)になって接点閉路状態にある時開閉器具部を示した概略斜視図である。
【図６】図６は本発明によるモータ保護用遮断器がトリップされて接点開路状態にある時開閉器具部を示した概略斜視図である。
【図７ａ】図７ａは本発明によるモータ保護用遮断器がトリップされて接点開路状態にある時開閉器具部の主要部を示した斜視図である。
【図７ｂ】図７ｂは図７ａにおけるラッチホルダー４及びラッチホルダースプリング６を除いた斜視図である。
【符号の説明】
【００３５】
１    開閉器具部
２    ラッチ
３    トリップレバー
４    ラッチホルダー
５    トリップ信号レバー
６    ラッチホルダースプリング
７    メーンスプリングの回転モーメント
２ａ    ラッチの足部
２ｂ    ラッチのくちばし部
３ａ    トリップレバーの足部
３ｂ    トリップレバーのロック部
４ａ    ラッチストッパピン
４ｂ    動力伝達ピン
４ｃ    ラッチホルダーのヘッド部
５ａ    トリップ信号レバーの突起
５ｂ    トリップ信号レバーの足部
５ｃ    トリップ信号レバーの鼻部
５ｄ    ストッパ部
５ｅ    回転軸
【図１】
2005197253.tif 000003
【図２ａ】
2005197253.tif 000004
【図２ｂ】
2005197253.tif 000005
【図３ａ】
2005197253.tif 000006
【図３ｂ】
2005197253.tif 000007
【図４】
2005197253.tif 000008
【図５】
2005197253.tif 000009
【図６】
2005197253.tif 000010
【図７ａ】
2005197253.tif 000011
【図７ｂ】
2005197253.tif 000012